(57)【要約】【課題】  簡単な構造で安定して望遠鏡を支持でき、安価に製造される望遠鏡支持台を提供する。【解決手段】  望遠鏡支持台１０は、望遠鏡２０の鏡筒２１を保持する鏡筒保持部２２と、円筒状の口部３１を介して流動物ＦＴが収容される容器３０の口部３１にネジ式で取り付けられるキャップ３３と、鏡筒保持部２２およびキャップ３３を連結する連結板部４０と、を備える。望遠鏡支持台１０は、鏡筒保持部２２、連結板部４０、およびキャップ３３が相互に連結されて望遠鏡２０（鏡筒２１）を支持する。【選択図】  図１
0003205542.tif 000002
【実用新案登録請求の範囲】
【請求項１】
望遠鏡の鏡筒を保持する鏡筒保持部と、
円筒状の口部を介して流動物が収容される容器の前記口部にネジ式で取り付けられるキャップと、
前記鏡筒保持部および前記キャップを連結する連結板部と、
を備えることを特徴とする望遠鏡支持台。
【請求項２】
請求項１に記載の望遠鏡支持台であって、
前記連結板部は、Ｌ字型に交差する第１板部と第２板部とを一体として備え、
前記第１板部は、中央部に第１貫通穴を有し、前記第２板部は、中央部に第２貫通穴を有し、
前記第１板部と前記鏡筒保持部は、前記第１貫通穴を貫通したノブ付きボルトによって連結され、
前記第２板部と前記キャップは、前記キャップの内側から前記第２貫通穴を貫通した貫通ボルトによって連結されることを特徴とする。
【請求項３】
請求項１または請求項２に記載の望遠鏡支持台であって、
前記鏡筒保持部は、前記鏡筒に沿う長さ方向の稜線が直方体状に位置し、前記鏡筒に向き合う第１対向面と、前記第１対向面の反対側で前記第１板部に向き合う第２対向面とを備え、
前記第１対向面は、前記長さ方向と交差する幅方向においてＶ字型となる２つの傾斜面を有し、前記第２対向面は、平面であることを特徴とする。
【請求項４】
請求項１から請求項３までのいずれか一つに記載の望遠鏡支持台であって、
前記容器は、円筒型であり、収容された前記流動物の重量が少なくとも１．５ｋｇとなる容量を有することを特徴とする。
【請求項５】
請求項１から請求項４までのいずれか一つに記載の望遠鏡支持台であって、
前記望遠鏡は、前記鏡筒の円周方向で前記鏡筒の頂部と異なる位置に前記鏡筒の光軸と平行に配置された円筒形の透視パイプを備え、
前記透視パイプは、筒径およびパイプ長さが前記望遠鏡の対応寸法より小さい寸法を有し、パイプ保持部を介して前記鏡筒に固定されていることを特徴とする。
【請求項６】
請求項１から請求項５までのいずれか一つに記載の望遠鏡支持台であって、
前記望遠鏡は、重量が３００ｇ以下であり、前記鏡筒は、紙製であることを特徴とする。
【考案の詳細な説明】
【技術分野】
【０００１】
本考案は、望遠鏡を支持する望遠鏡支持台に関する。
【背景技術】
【０００２】
遠方の物体を観察する道具として望遠鏡が知られている。特に天体（星）を観察する天体望遠鏡は、肉眼では見えない天体の詳細について現実の事象を観測でき、児童の自然に対する好奇心、更には科学に対する関心を大きく育てることが知られている。
したがって、児童教育の一手段として天体望遠鏡の普及が強く望まれている。しかし、天体望遠鏡は、望遠鏡の中でも大口径のレンズを適用するので寸法が大きくなり、一般の望遠鏡に比べて高価であり、児童のために購入するような道具ではなかった。
このような状況の下、工作キットとして自作できる天体望遠鏡が提案されている。工作キットとして提供され、自作できる天体望遠鏡は、完成品で販売される天体望遠鏡に比較して安価であり、天体への関心を更に高めることが期待されている。
また、工作キットとして提供される天体望遠鏡は、貴重な物作り教育となり、物作りの成果は、意義の深い達成感が得られる。このような天体望遠鏡は、工作キットでありながら、提供する機能は、当時の専門家であるガリレオが作った望遠鏡で確信した事象と同等の観察が可能となる水準を実現できている。
観察できる事項は、例えば、１：月は、鏡面では無く多くの凹凸を有すること、２：天の川は、無数の星の集まりであること、３：木星は、周辺にいくつかの衛星を有すること、４：土星は、一個の天体ではないこと（例えば、周囲に環が存在することを視認できる）、５：金星は、月と同じように満ち欠けをすること、６：特殊な工夫をした場合は、太陽について観察することもでき、太陽が自転し、黒点を有すること、などである。
【０００３】
しかしながら、天体望遠鏡は倍率が高いことから児童は勿論大人でも手で持って天体を観察することはできない。つまり、倍率の高い天体望遠鏡は、手のぶれや振動がそのまま拡大され、観察対象の天体の観察像は、ぶれや振動が大きく影響して望遠鏡の視野内から外れることになる。このため、天体望遠鏡を用いて天体を観察するときは、天体望遠鏡を確実に固定する望遠鏡支持装置が必須となる。
児童用に開発した児童用天体望遠鏡を支持する望遠鏡支持装置としては、一般的に三脚（例えば、特許文献１、特許文献２参照）を使用することができる。天体望遠鏡を支持する三脚は、高度と方位について高い精度が必要となり、倍率が高いことから安定した構造が要請されている。つまり、三脚は、構造として精度と強度の両方が要求され、構造が大掛かりとなっている。
【０００４】
しかしながら、従来の三脚は機構が大掛かりであることから価格が高価である。このため、天体望遠鏡を比較的安価に提供したとしても支持する三脚が高価であることから天体望遠鏡そのものが普及しにくい状況が生まれている。また、三脚の中でもいわゆるカメラ用三脚が比較的使用に耐える仕様を持っている。しかし、カメラ用三脚は、家庭への普及率が低いので工作キットとして提供される天体望遠鏡の普及の助けになっていないのが実情である。
【先行技術文献】
【特許文献】
【０００５】
【特許文献１】特開２００７−４７４６４号公報
【特許文献２】実開平６−３６０１８号公報
【考案の概要】
【考案が解決しようとする課題】
【０００６】
上記したとおり、例えば工作キットとして製作される児童向けの望遠鏡が安価に提供されているにもかかわらず、望遠鏡を簡単な構造で安定的に支持する望遠鏡支持台が安価に提供されていないという課題がある。つまり、児童向けに提供される望遠鏡に適合する適切な望遠鏡支持台が安価に提供されていないことから、保護者にとっても負担が大きく、児童向けの望遠鏡が普及しにくい状況がある。
望遠鏡の実視野は略１．４度で極めて小さく、わずかな変位、揺れが生じても観察対象とした天体を捕捉することは困難となる。したがって、望遠鏡が捕捉対象とする方位および高度に向けて変位し、観察対象とする天体を捕捉するときに使用できる児童用として適切な精度を実現する望遠鏡支持台を安価に提供する必要がある。
すなわち、本考案は、例えば児童向けの望遠鏡に適合した望遠鏡支持台を提供することを目的とする。なお、本願では、「望遠鏡」との用語は、児童向けの天体望遠鏡を当然に含む概念である。
【課題を解決するための手段】
【０００７】
本考案に係る望遠鏡支持台は、望遠鏡の鏡筒を保持する鏡筒保持部と、円筒状の口部を介して流動物が収容される容器の前記口部にネジ式で取り付けられるキャップと、前記鏡筒保持部および前記キャップを連結する連結板部と、を備えることを特徴とする。
したがって、本考案に係る望遠鏡支持台は、簡単な構造で安定的に望遠鏡を支持でき、また、安価に製造される。
本考案に係る前記望遠鏡支持台の一実施の形態においては、前記連結板部は、Ｌ字型に交差する第１板部と第２板部とを一体として備え、前記第１板部は、中央部に第１貫通穴を有し、前記第２板部は、中央部に第２貫通穴を有し、前記第１板部と前記鏡筒保持部は、前記第１貫通穴を貫通したノブ付きボルトによって連結され、前記第２板部と前記キャップは、前記キャップの内側から前記第２貫通穴を貫通した貫通ボルトによって連結される。
【０００８】
本考案に係る望遠鏡支持台の一実施の形態においては、前記鏡筒保持部は、前記鏡筒に沿う長さ方向の稜線が直方体状に位置し、前記鏡筒に向き合う第１対向面と、前記第１対向面の反対側で前記第１板部に向き合う第２対向面とを備え、前記第１対向面は、前記長さ方向と交差する幅方向においてＶ字型となる２つの傾斜面を有し、前記第２対向面は、平面である。
本考案に係る望遠鏡支持台の一実施の形態においては、前記容器は、円筒型であり、収容された前記流動物の重量が少なくとも１．５ｋｇとなる容量を有する。
本考案に係る望遠鏡支持台の一実施の形態においては、前記望遠鏡は、前記鏡筒の円周方向で前記鏡筒の頂部と異なる位置に前記鏡筒の光軸と平行に配置された円筒形の透視パイプを備え、前記透視パイプは、パイプ径およびパイプ長さが前記望遠鏡の寸法より小さい寸法を有し、パイプ保持部を介して前記鏡筒に固定されている。
本考案に係る望遠鏡支持台の一実施の形態においては、前記望遠鏡は、重量が３００ｇ以下であり、前記鏡筒は、紙製である。
【考案の効果】
【０００９】
本考案に係る望遠鏡支持台は、簡単な構造で安定して望遠鏡を支持でき、また、安価に製造されるという効果を奏する。
【図面の簡単な説明】
【００１０】
【図１】本考案の実施の形態に係る望遠鏡支持台が望遠鏡を支持し、容器に流動体を充填して望遠鏡支持装置とされた状態を斜め上方から見た状態で示す斜視図である。
【図２】図１に示した望遠鏡支持台の要部を拡大して示す拡大斜視図である。
【図３】図１に示した望遠鏡支持台の連結板部を拡大して示す拡大斜視図である。
【図４】図１に示した鏡筒保持部の傾斜面を斜め上方から見た状態で示す斜視図である。
【図５】図３に示した連結板部に対する鏡筒保持部の連結状態およびキャップの連結状態を分解して示す分解斜視図である。
【図６】図１に示した鏡筒、鏡筒保持部、パイプ保持部、および透視パイプを観察者の側から光軸に沿って透視したときの配置関係を模式的に示す一部断面模式透視図である。
【考案を実施するための形態】
【００１１】
以下、本考案に係る望遠鏡支持台について、図１から図６までを参照して説明する。
図１は、本考案の実施の形態に係る望遠鏡支持台１０が望遠鏡２０を支持し、容器３０に流動体ＦＴを充填して望遠鏡支持装置１とされた状態を斜め上方から見た状態で示す斜視図である。
図２は、図１に示した望遠鏡支持台１０の要部を拡大して示す拡大斜視図である。
図３は、図１に示した望遠鏡支持台１０の連結板部４０を拡大して示す拡大斜視図である。
【００１２】
望遠鏡支持台１０は、望遠鏡２０の鏡筒２１を保持する鏡筒保持部２２と、円筒状の口部３１を介して流動物ＦＴが収容される容器３０の口部３１にネジ式で取り付けられるキャップ３３と、鏡筒保持部２２およびキャップ３３を連結する連結板部４０と、を備える。
望遠鏡支持台１０は、鏡筒保持部２２、連結板部４０、およびキャップ３３が相互に連結されて望遠鏡２０を支持する。このため、容器３０に流動物ＦＴを収容して重量を持たせた状態で、キャップ３３が容器３０の口部３１に締め付けられて固定されると、望遠鏡支持台１０は、容器３０に固定される。つまり、望遠鏡２０は、容器３０に安定的に固定され支持される。したがって、望遠鏡支持台１０は、流動物ＦＴが収容された容器３０と一体に連結されたとき、望遠鏡２０を安定して支持する望遠鏡支持装置１となる。つまり、本考案に係る望遠鏡支持台１０は、簡単な構造で安定して望遠鏡２０を支持でき、また、安価に製造される。
鏡筒保持部２２は、鏡筒２１に向き合って鏡筒２１を位置決めする第１対向面２４と、第１板部４１に向き合う第２対向面２５とを有する（図２）。
【００１３】
実際に望遠鏡支持台１０を使うときは、容器３０に流動物ＦＴを充填した後、キャップ３３を口部３１にネジ式に締め付けて望遠鏡支持装置１を形成し、容器３０をテーブルなどの水平面に配置する。容器３０が水平面に配置された望遠鏡支持装置１においては、容器３０は、口部３１が垂直方向ＤＶの上端に位置して立ち上げた状態となり、口部３１に連結されたキャップ３３は、第２板部４２を水平方向ＤＨに配置する。このため、第２板部４２と交差方向に連結する第１板部４１は、垂直方向ＤＶに位置する。
対象とする天体ＨＢ（図６参照）の高度への位置合わせは、第１貫通穴４１ｈ（図３）を回転の支点として鏡筒２１（鏡筒保持部２２）を回転し、対応する高度に合わせる。ノブ付きボルト４３は、鏡筒保持部２２に対する外力の作用を受けて鏡筒保持部２２を自由に回転させる一方、外力が除去されるとその位置で鏡筒保持部２２を安定的に停止するフリーストップ（無段階調整機構）の機能を有する。これにより、鏡筒２１（望遠鏡２０）の高度が確定する。
つまり、天体ＨＢの高度に対する位置合わせは、先ず回転中心としてのノブ付きボルト４３に対して鏡筒保持部２２を回転させ、仰角、俯角を制御して位置合わせした後、鏡筒保持部２２に対する外力の印加を止めることで実行される。すなわち、鏡筒保持部２２に対する外力の印加を調整することで容易に高度の調整が行われる。
【００１４】
容器３０は、円筒型であり、収容された流動物ＦＴの重量が少なくとも１．５ｋｇとなる容量を有することが好ましい。容器３０は、１．５ｋｇの重量を確保することで、例えば２００ｇの重量を有する望遠鏡２０に対する安定性を確保することができる。
容器の重量と望遠鏡の倍率とは一定の関係を有する。つまり、倍率が高いほど、ぶれや振動の影響を強く受けるから、重量を大きくして安定性を高くする必要がある。望遠鏡の倍率が例えば２０倍以下であるときは、重量は５００ｇであっても十分な観察が可能である。望遠鏡の倍率が例えば３５倍であるときは、重量は１．５ｋｇ以上であることが好ましい。
容器３０は、例えば飲料用に供された市販のペットボトルが適用される。使用後の飲料販売用容器を活用できるので望遠鏡支持装置１の製造コストを抑制できる。つまり、キャップ３３は、容器３０としてのペットボトルの栓であり強い密閉性を有するから強固に連結される。
円筒型の容器３０は、底部分の面積と配置を円筒の中心から放射状に均等に取れるので、テーブルなどの平坦面に配置されたとき、望遠鏡２０を安定性良く支持できる。また、円筒型であるので、円筒の中心を回転中心として回転させるとそのまま方位を変更できることから方位の位置合わせが容易となる。
また、容器３０は、流動物ＦＴを収容したときの重量が少なくとも１．５ｋｇある容量を有する。例えば水を収容するときは、１．５リットルの容量を有する大きさのものが適用される。この重量により、容器３０は安定性を維持する。つまり、容器３０は、望遠鏡２０による振動、ぶれなどを抑制し、望遠鏡２０を安定して支持できるので、日周運動で視野内移動の天体ＨＢに対する快適な観察ができる。なお、流動物ＦＴとしては、水などの液体の他に例えば砂粒などが適用される。
【００１５】
円筒型の容器３０は、例えば、半径５ｃｍ、高さ２０ｃｍの寸法を有している場合、（５×５×３．１４）×２０＝１，５７０ｃｍ３＝１．５７リットルの容量（容積）を有する。例えば水が充填された場合、重量は略１．５ｋｇとなり、十分な重量が確保される。容器３０は、円筒型が好ましいが、例えば四辺形を有する角筒型であっても良い。四辺形の角筒型で、例えば１辺１０ｃｍ、高さ２０ｃｍの寸法を有している場合、１０×１０×２０＝２０００ｃｍ３＝２リットルとなる。例えば水が充填された場合、重要は２ｋｇとなり、十分な重量が確保される。
なお、容器３０の容量は、児童による取扱いの容易さを考慮して例えば５リットル程度までの大きさ程度が許容される。この場合に例えば水を充填した状態での重量は、５ｋｇであり、十分な安定性を有する。また、容器３０の容量は、流動物ＦＴの比重によって変えることが好ましい。取り扱いの容易さを考慮して一定の範囲の大きさに収めることが好ましい。例えば１．５リットルの飲料を収容している容器などが好ましい。
ネジ式で取り付けられるキャップ３３は、キャップ３３の内側にナット状のネジ溝、口部３１の外側にボルト状のネジ山が施されている。つまり、容器３０の口部３１とキャップ３３は、ボルトとナットの関係にあり、高精度でかつ強固に連結される。
口部３１に連結されるキャップ３３は、キャップ３３（容器３０）の内側から第２板部４２の外側へ突き出る貫通ボルト４７を介して第２板部４２に連結される。つまり、貫通ボルト４７は、第２板部４２の外側でナット４８に連結され、キャップ３３および第２板部４２を相互に連結する。
なお、容器３０が支持する望遠鏡２０（鏡筒２１）の重量は、工作キットとして提供されている場合は、例えば２００グラムないし３００グラム程度であるので、容器３０は、十分な安定性を持たせて望遠鏡２０を支持できる。なお、容器３０が大きい場合は、望遠鏡２０が更に重い重量であっても良い。
【００１６】
望遠鏡２０は、鏡筒２１、接眼筒部２７、接眼レンズ２７ｍ、および光軸２１ｘを有する。キャップ３３に連結された第２板部４２は、水平方向ＤＨに位置する。したがって、第１板部４１は、垂直方向ＤＶに立ちあがって垂直状態を維持する。鏡筒保持部２２は、ノブ付きボルト４３を介して第１板部４１に連結される。つまり、鏡筒保持部２２は、第１板部４１が位置する側の反対側で、鏡筒２１に連結される。
接眼筒部２７は、鏡筒２１（光軸２１ｘ）に沿って前後に移動でき、観察対象としての天体ＨＢに対するピントを調整できる。接眼筒部２７は、先端に接眼レンズ２７ｍを備えている。
鏡筒２１（望遠鏡２０）は、鏡筒径Ｅｒが例えば４ｃｍ〜８ｃｍ、本実施の形態では、４．２ｃｍ、鏡筒長さＬｒが例えば３０〜６０ｃｍ、本実施の形態では、３９ｃｍ、重量が例えば２００ｇ〜４００ｇの大きさが適用される。望遠鏡２０は、重量が３００ｇ以下であることが好ましい。重量が３００ｇ以下であれば、容器３０の重量を１．５ｋｇとしても十分な安定性が確保される。したがって、児童による取扱いが容易となり、容器の重量に対して安定性が向上する。また、鏡筒２１は、紙製であることが好ましい。このため、鏡筒２１は軽量となり、容易にかつ安価に作製される。
【００１７】
望遠鏡２０は、パイプ保持部６１を介して鏡筒２１に固定される透視パイプ６０を備える。透視パイプ６０は、鏡筒２１（望遠鏡２０）の光軸２１ｘと平行に配置される。透視パイプ６０は、接眼筒部２７の先端側に観察者ＨＭ（不図示）が天体ＨＢを直接覗ける直視部６２を有する。透視パイプ６０および直視部６２の作用については、図６で更に説明する。
透視パイプ６０は、パイプ径Ｅｄが例えば１．５ｃｍ、パイプ長さＬｅが例えば１５ｃｍである。
【００１８】
連結板部４０は、Ｌ字型に交差する第１板部４１と第２板部４２とを一体として備え、第１板部４１は、中央部に第１貫通穴４１ｈを有し、第２板部４２は、中央部に第２貫通穴４２ｈを有する（図３）。第１板部４１と鏡筒保持部２２は、第１貫通穴４１ｈを貫通したノブ付きボルト４３によって連結される。第２板部４２とキャップ３３は、キャップ３３の内側から第２貫通穴４２ｈを貫通した貫通ボルト４７によって連結される。
連結板部４０の第１板部４１は、ノブ付きボルト４３を介して鏡筒保持部２２に連結され、第１板部４１と一体の第２板部４２は、貫通ボルト４７を介してキャップ３３に連結される。このため、鏡筒保持部２２、連結板部４０、およびキャップ３３は互いに確実に連結して固定され、相互の配置を確定できるので、望遠鏡支持台１０は、第２板部４２（つまり、容器３０）を回転させて、望遠鏡２０が必要とする所望の方位を設定できる。
【００１９】
第１板部４１および第２板部４２は、一体の板材、好ましくは強度と精度を確実に実現できる金属板であることが望ましい。連結板部４０は、一体の板材であることから、鏡筒保持部２２およびキャップ３３を強固に連結しやすく、鏡筒保持部２２とキャップ３３の位置関係を高い信頼性で維持できる。連結板部４０は、例えば、重量があり、加工が容易で安価な鉄製が好ましい。なお、鉄以外の金属を適用することも可能である。
第１板部４１は、第２板部４２が水平方向ＤＨに配置された状態で垂直方向ＤＶに配置される。したがって、望遠鏡２０の高度は、ノブ付きボルト４３を緩めた状態で鏡筒保持部２２の高度を調整して合わせられ、その後、ノブ付きボルト４３を締め付けて固定される。これにより、望遠鏡２０は、観察対象としての天体ＨＢの高度に位置合わせした状態を確保できる。
【００２０】
図４は、図１に示した鏡筒保持部２２の第１対向面２４（傾斜面２４ｆ）を斜め上方から見た状態で示す斜視図である。
図５は、図３に示した連結板部４０に対する鏡筒保持部２２の連結状態およびキャップ３３の連結状態を分解して示す分解斜視図である。なお、鏡筒保持部２２は、図の見やすさを考慮して長さ方向ＤＬ（図４）を垂直方向ＤＶに沿わせて示している。
【００２１】
鏡筒保持部２２は、鏡筒２１に沿う長さ方向ＤＬの稜線２３が直方体状に位置し、鏡筒２１に向き合う第１対向面２４と、第１対向面２４の反対側で第１板部４１に向き合う第２対向面２５とを備える。長さ方向ＤＬの稜線２３は、４本あり、稜線２３による基本的な外形として直方体を有する。
第１対向面２４は、長さ方向ＤＬと交差する幅方向ＤＷにおいてＶ字型となる２つの傾斜面２４ｆを有し、第２対向面２５は、平面である。
第１対向面２４は、幅方向ＤＷでＶ字型となる２つの傾斜面２４ｆを有する。２つの傾斜面２４ｆは、Ｖ字型の対称に配置され、それぞれが鏡筒２１に外接する。したがって、第１対向面２４は、鏡筒２１を２つの傾斜面２４ｆで支持するので高い精度で鏡筒２１を位置決めする。第２対向面２５は、平坦であるので、第１板部４１と高い精度で位置合わせされ、密接に連結される。なお、傾斜面２４ｆは、接着剤を介して鏡筒２１を接着し、固定する。
なお、鏡筒保持部２２は、保持長さＬｈが例えば８ｃｍ、保持幅Ｗｈが例えば２ｃｍ、保持厚みＴｈが例えば１．６ｃｍである。鏡筒保持部２２は、鏡筒２１に対する加工の容易性、児童が馴染みやすいこと、接着工作が容易であることを考慮して、木製とされている。
ノブ付きボルト４３は、第１貫通穴４１ｈを貫通して第２対向面２５に位置する埋込ナット４４に嵌め込まれる。第１板部４１と埋込ナット４４との間に位置する座金４４ｗは、第１板部４１に対する鏡筒保持部２２の回転を円滑にし、またノブ付きボルト４３の締め付け後の緩みを抑制する。埋込ナット４４は、鏡筒保持部２２が木材であることから比較的容易にかつ高精度に埋め込まれる。
ノブ付きボルト４３は、握り易い大きさに設定され、取手を操作することで適宜の締め付け強度を得られるので、第１板部４１に対する鏡筒保持部２２の締め付けを調整できる。このため、望遠鏡２０の高度の調整が容易となる。座金４４ｗは、鏡筒保持部２２とノブ付きボルト４３との間のフリーストップにおける摺動性を考慮してナイロンワッシャーとすることが好ましい。その他デルリン（登録商標）ワッシャーも適用できる。座金４４ｗは、第２対向面２５と面一に埋め込まれる。このため、座金４４ｗは、ノブ付きボルト４３と埋込ナット４４との間に配置された第１板部４１と鏡筒保持部２２との間での回転を円滑にする。
キャップ３３は、貫通ボルト４７が挿入される第３貫通穴３３ｈを有する。貫通ボルト４７は、頭４７ｔをキャップ３３の内側に配置され、キャップ３３の内側（容器３０の内側）から第３貫通穴３３ｈおよび第２貫通穴４２ｈを通って第２板部４２から突出し、ナット４８によって第２板部４２に締め付けられる。つまり、貫通ボルト４７は、キャップ３３と第２板部４２とを連結して固定する。
【００２２】
図６は、図１に示した鏡筒２１、鏡筒保持部２２、パイプ保持部６１、および透視パイプ６０を観察者ＨＭの側から光軸２１ｘに沿って透視したときの配置関係を模式的に示す一部断面模式透視図である。つまり、図６は、観察者ＨＭが位置する側である接眼筒部２７および直視部６２の側から天体ＨＢの方向を透視した状態を示し、鏡筒保持部２２については、第２対向面２５に埋め込まれた埋込ナット４４の断面を模式的に示す。なお、図６において、天体ＨＢは、理解を容易にするため模式的に示したもので、実際の観察では一般的に明るい点として認識される。
【００２３】
望遠鏡２０は、望遠鏡２０の実視野１．４度に天体の捕捉機能を持たせるために、鏡筒２１の円周方向で鏡筒２１の頂部２１ｔと異なる位置に鏡筒２１の光軸２１ｘと平行に配置された円筒形の透視パイプ６０を備える。
透視パイプ６０は、パイプ径Ｅｄおよびパイプ長さＬｅが鏡筒２１の対応寸法より小さい寸法（例えば３分の１、あるいは４分の１程度）を有し、パイプ保持部６１を介して鏡筒２１に固定されている。
望遠鏡２０の寸法より小さい寸法の透視パイプ６０は、肉眼で透視できるので、観察の対象とする天体ＨＢに適切に位置合わせされる。このため、望遠鏡２０は、対象とする天体ＨＢに対して適切にかつ効果的に位置合わせできる。
つまり、観察の対象とされた天体ＨＢは、透視パイプ６０を利用して容易に望遠鏡２０の実視野（例えば１．４度の視野角）に導入される。天体ＨＢを望遠鏡２０の実視野に導入した後、望遠鏡２０は、接眼筒部２７（接眼レンズ）の実視野に取得された天体ＨＢを認識した状態で、高度と方位を微調整され位置決めされる。
透視パイプ６０を利用した天体ＨＢに対する位置合わせと透視パイプ６０の作用について更に説明する。透視パイプ６０は、観察者ＨＭが位置する側の端である直視部６２に遮光シール６２ｓを有する。遮光シール６２ｓは、中央に開口６２ｗを有する。なお、遮光シール６２ｓは、透視パイプ６０のパイプ径Ｅｄと同一の外径１．５ｃｍを有し、開口６２ｗは、直径５ｍｍを有する。遮光シール６２ｓは、透視パイプ６０の端面に貼り付けられる。
【００２４】
パイプ保持部６１は、透視パイプ６０に対向するパイプ対向面６３および鏡筒２１に対向する鏡筒対向面６４を有する。パイプ対向面６３および鏡筒対向面６４は、それぞれ鏡筒保持部２２が第１対向面２４に有する傾斜面２４ｆと同様なＶ字型で対称に配置された傾斜面を有している。
つまり、透視パイプ６０はパイプ保持部６１（パイプ対向面６３）に、パイプ保持部６１（鏡筒対向面６４）は鏡筒２１に、それぞれ高い精度で位置決めされ、鏡筒保持部２２と同様に互いに接着される。パイプ保持部６１が有する傾斜面の形状および作用は鏡筒保持部２２と同様であるので詳細な説明は省略する。なお、パイプ保持部６１は、透視パイプ６０の大きさに応じて保持長さＬｐ（不図示）は例えば５ｃｍであり、鏡筒保持部２２に比較して半分程度の寸法を有する。
【００２５】
鏡筒保持部２２は、鏡筒２１の側面（水平方向ＤＨ）に配置されている。したがって、第２対向面２５は、垂直方向ＤＶを維持できるので、第１板部４１の垂直方向ＤＶに沿う形態で回転できる。透視パイプ６０は、望遠鏡２０（鏡筒２１）の頂部２１ｔに対して鏡筒２１の円周方向で異なる位置に配置されている。このため、接眼筒部２７の端に配置される接眼部品ＥＰ（不図示）は、透視パイプ６０による透視に干渉することがない。
すなわち、透視パイプ６０は、接眼筒部２７の先端に取り付けられる接眼部品ＥＰが透視パイプ６０による位置合わせを妨害しないように、頂部２１ｔに対する垂直方向ＤＶより左右のいずれかに移動した位置に配される。本実施の形態では、例えば垂直方向ＤＶより円周方向において右側へ４５度ずらして配置されている。
なお、接眼部品ＥＰは、例えば天頂ミラーである。
【００２６】
観察者ＨＭは、透視パイプ６０の頂部６０ｔを光軸２１ｘの方向に透視して観察の対象とする天体ＨＢが頂部６０ｔに接した状態となるように位置合わせする。この状態で、透視パイプ６０の直視部６２に貼り付けた遮光シール６２ｓに設けた開口６２ｗを光軸２１ｘの方向に観察すると、対象とした天体ＨＢは、開口６２ｗの略中央に認識できる状態、つまり、略位置合わせされた状態となる。このとき、透視パイプ６０に対して平行な光軸２１ｘを有する望遠鏡２０は、対象の天体ＨＢが実視野内に観察ができる位置合わせがされた状態となる。
つまり、観察対象とする天体ＨＢに対して透視パイプ６０を位置決めすれば、望遠鏡２０の実視野の範囲に対象とする天体ＨＢを導入できる。天体ＨＢを望遠鏡２０の実視野に導入した後は、接眼レンズ２７ｍの視野内の天体ＨＢを注視しながら更に視野中心に位置合わせをする。これにより、望遠鏡２０は、天体ＨＢを更に詳細に観察できる。
【産業上の利用可能性】
【００２７】
工作キットとして提供されている望遠鏡に適用できる望遠鏡支持台を提供することから、望遠鏡の普及に寄与でき、望遠鏡に関連する産業の発達に寄与する。
【符号の説明】
【００２８】
１  望遠鏡支持装置
１０  望遠鏡支持台
２０  望遠鏡
２１  鏡筒
２１ｔ  頂部
２１ｘ  光軸
２２  鏡筒保持部
２３  稜線
２４  第１対向面
２４ｆ  傾斜面
２５  第２対向面
２７  接眼部
２７ｍ  接眼レンズ
３０  容器
３１  口部
３３  キャップ
３３ｈ  第３貫通穴
４０  連結板部
４１  第１板部
４１ｈ  第１貫通穴
４２  第２板部
４２ｈ  第２貫通穴
４３  ノブ付きボルト
４４  埋込ナット
４４ｗ  座金
４７  貫通ボルト
４７ｔ  頭
４７ｗ  座金
４８  ナット
６０  透視パイプ
６０ｔ  頂部
６１  パイプ保持部
６２  直視部
６２ｓ  遮光シール
６２ｗ  開口
６３  パイプ対向面
６４  鏡筒対向面
ＤＨ  水平方向
ＤＬ  長さ方向
ＤＶ  垂直方向
ＤＷ  幅方向
ＦＴ  流動物
ＨＢ  天体
Ｅｒ  鏡筒径
Ｅｄ  パイプ径
ＥＰ  接眼部品（不図示）
ＨＭ  観察者（不図示）
Ｌｒ  鏡筒長さ
Ｌｅ  パイプ長さ
Ｌｈ  保持長さ
Ｗｈ  保持幅
Ｔｈ  保持厚み
Ｌｐ  保持長さ（不図示）
【図１】
0003205542.tif 000003
【図２】
0003205542.tif 000004
【図３】
0003205542.tif 000005
【図４】
0003205542.tif 000006
【図５】
0003205542.tif 000007
【図６】
0003205542.tif 000008